(57)【要約】【課題】電気回路ユニット品等を工場間（特に海外工場間）に搬送するための梱包装置において、搬送時の梱包作業効率を向上し、搬送後に梱包材を廃却することなく、分解可能で、梱包材を積み重ねて収容梱包し、リターン時に容積を減らした状態で返送が可能な装置にすることを課題とする。【解決手段】製品を収納保持するボトムトレイと、ボトムトレイを覆うカバートレイと、ボトムトレイとカバートレイとで挟み込まれて収納保持された製品を積み重ねた状態で梱包する上下の枠体と、上下の枠体で製品を固定するナットを有する支柱部とからなり、製品の搬送後のボトムトレイとカバートレイは、それぞれ複数個積み重ねられて、支柱部を介して、上下の枠体に梱包される形状に形成されてなることを特徴とする。【選択図】　図１
2004067197.tif 000002
【特許請求の範囲】
【請求項１】
複数の製品を搬送するための梱包装置において、
前記製品を収納保持する複数のボトムトレイと、該ボトムトレイを覆う複数のカバートレイと、
前記一組のボトムトレイとカバートレイとで挟み込まれて収納保持された前記製品を複数個積み重ねて梱包する上下の枠体と、
前記上下の枠体、前記ボトムトレイ及び前記カバートレイを貫通して固定するための支柱部とからなり、
前記ボトムトレイとカバートレイは、前記製品の搬送後において、各々のボトムトレイ及び各々のカバートレイがそれぞれ複数個積み重ねられて、前記支柱部により貫通されて前記上下の枠体に梱包可能な形状に形成されてなることを特徴とする梱包装置。
【請求項２】
前記カバートレイは、外周縁が内側にＬ型形状に折り曲げ形成され、該カバートレイと前記ボトムトレイとの接合部には全周にわたりスペーサが介在されてなることを特徴とする請求項１記載の梱包装置。
【請求項３】
複数の製品を搬送するための梱包装置において、
前記製品を収納保持する複数のボトムトレイと、該ボトムトレイを覆う複数のカバートレイと、
前記一組のボトムトレイとカバートレイとで挟み込まれて収納保持された前記製品を複数個積み重ねて梱包する上下の枠体と、
前記上下の枠体、前記ボトムトレイ及び前記カバートレイを貫通して固定するための支柱部とからなり、
前記上下枠体が重ね合わされて当接する該各枠体の外周縁部には、下部枠体に第１接合ロック部が、上部枠体に前記第１接合ロック部に対向して第２接合ロック部がそれぞれ設けられてなり、
前記第１接合ロック部及び前記第２接合ロック部は、前記製品の搬送後において、前記上下枠体内に前記ボトムトレイとカバートレイを複数個収納した状態で、前記支柱部により連結固定可能に形成されてなることを特徴とする梱包装置。
【請求項４】
複数の製品を搬送するための梱包装置において、
前記製品を収納保持する複数のボトムトレイと、該ボトムトレイを覆う複数のカバートレイと、
前記一組のボトムトレイとカバートレイとで挟み込まれて収納保持された前記製品を複数個積み重ねて梱包する上下の枠体と、
前記上下の枠体、前記ボトムトレイ及び前記カバートレイを貫通して固定するための支柱部とからなり、
前記上下枠体が重ね合わされて当接する該各枠体の外周縁部において、下部枠体には前記支柱部を取付固定する貫通孔を有する第１突出部と前記支柱部を取付固定するネジ孔を有する第２突出部が離間して設けられ、上部枠体には前記支柱部により前記下部枠体に押圧保持される下部面に円形状の溝を有する凸状のリブが設けられてなり、
前記製品の搬送後において、前記上下枠体内に前記ボトムトレイとカバートレイを複数個収納し、前記上部枠体のホルダを前記下部枠体の第１突出部と第２突出部の間に嵌めこんだ状態で、前記下部枠体の第１突出部と前記上部枠体のホルダと前記下部枠体の第２突出部が、前記支柱部により、貫通ネジ込みされて、連結固定可能に形成されてなることを特徴とする梱包装置。
【請求項５】
複数の製品を搬送するための梱包装置において、
前記製品を収納保持する複数のボトムトレイと、該ボトムトレイを覆う複数のカバートレイと、
前記一組のボトムトレイとカバートレイとで挟み込まれて収納保持された前記製品を複数個積み重ねて梱包する上下の枠体と、
前記上下の枠体、前記ボトムトレイ及び前記カバートレイを貫通して固定するための支柱部とからなり、
前記上下枠体が重ね合わされて当接する該各枠体の外周縁部において、下部枠体には前記支柱部を取付固定する貫通孔を有する第１突出部と前記支柱部を取付固定するネジ孔を有する第２突出部が離間して設けられ、該離間した部分には切り欠き部が形成され、上部枠体には前記支柱部により前記下部枠体に押圧保持される下部面に円形状の溝を有する凸状の第１リブと第２リブが離間して設けられてなり、
前記製品の搬送後において、前記上下枠体内に前記ボトムトレイとカバートレイを複数個収納し、前記上部枠体の第１リブと第２リブを前記下部枠体の第１突出部と第２突出部の間に嵌めこんだ状態で、前記下部枠体の第１突出部と前記上部枠体の第１リブと第２リブ及び前記下部枠体の第２突出部が、前記支柱部により、貫通ネジ込みされて、連結固定された状態で、前記切り欠き部が、該切り欠き部に対応した位置の前記支柱部を外部に露出可能な形状に形成されてなることを特徴とする梱包装置。
【請求項６】
複数の製品を搬送するための梱包装置において、
前記製品を収納保持する複数のボトムトレイと、該ボトムトレイを覆う複数のカバートレイと、
前記一組のボトムトレイとカバートレイとで挟み込まれて収納保持された前記製品を複数個積み重ねて梱包する上下の枠体と、
前記上下の枠体、前記ボトムトレイ及び前記カバートレイを貫通して固定するための支柱部とからなり、
前記下部枠体の前記上部枠体に当接する外周縁部は、片端部には離間した位置に少なくとも２カ所に切り欠き溝を有するリブが設けられ、他端部には前記支柱部を取付固定する貫通孔を有する第１突出部と前記支柱部を取付固定するネジ孔を有する第２突出部が離間して設けられてなり、
前記上部枠体の前記下部枠体に対向する外周縁部の片端部には、前記切り欠き溝に嵌め込まれるフック形状の突出部が離間して設けられ、他端部には前記支柱部により前記下部枠体に押圧保持される下部面に円形状の溝を有する凸状のホルダが設けられてなり、
前記製品の搬送後において、前記上下枠体内に前記ボトムトレイとカバートレイを複数個収納し、前記下部枠体の片端部の切り欠き溝に前記上部枠体の片端部のフック形状の突出部を嵌め込みスライドロックし、他端部は前記上部枠体のホルダを前記下部枠体の第１突出部と第２突出部の間に嵌めこんだ状態で、前記下部枠体の第１突出部と前記上部枠体のホルダと前記下部枠体の第２突出部が、前記支柱部により、貫通ネジ込みされて、連結固定可能に形成されてなることを特徴とする梱包装置。
【発明の詳細な説明】
【０００１】
【発明の属する技術分野】
本発明は、電気部品や電気回路ユニット等の製品を工場間、特に海外工場間等に搬送するための梱包装置に関する。
【０００２】
【従来の技術】
電気部品や前面パネルのサブアッシー品等の電気回路ユニット製品を工場間（特に海外工場間）に搬送するための梱包装置は、一例として、ワンウエイ方式が取られており、木製又はダンボール箱等の梱包材が用いられるものが一般的である。
【０００３】
【発明が解決しようとする課題】
このような梱包装置においては、梱包に手間がかかり、搬送後には、梱包材を廃却するため、環境負荷になったり、また搬送をする度に新しい梱包材を用意する必要があり、コスト高になる等の問題があった。
【０００４】
本発明は、このような点に鑑みなされたもので、搬送後に分解可能で、リターン時に容積を減らした状態で返送可能な構造の梱包装置を実現することを課題とする。
【０００５】
【課題を解決するための手段】
上記目的を達成するために、本発明は、複数の製品を搬送するための梱包装置において、前記製品を収納保持する複数のボトムトレイと、該ボトムトレイを覆う複数のカバートレイと、前記一組のボトムトレイとカバートレイとで挟み込まれて収納保持された前記製品を複数個積み重ねて梱包する上下の枠体と、前記上下の枠体、前記ボトムトレイ及び前記カバートレイを貫通して固定するための支柱部とからなり、前記ボトムトレイとカバートレイは、前記製品の搬送後において、各々のボトムトレイ及び各々のカバートレイがそれぞれ複数個積み重ねられて、前記支柱部により貫通されて前記上下の枠体に梱包可能な形状に形成されてなることを特徴とするものである。
【０００６】
また、前記カバートレイは、外周縁が内側にＬ型形状に折り曲げ形成され、該カバートレイと前記ボトムトレイとの接合部には全周にわたりスペーサが介在されてなることを特徴とするものである。
【０００７】
また、複数の製品を搬送するための梱包装置において、前記製品を収納保持する複数のボトムトレイと、該ボトムトレイを覆う複数のカバートレイと、前記一組のボトムトレイとカバートレイとで挟み込まれて収納保持された前記製品を複数個積み重ねて梱包する上下の枠体と、前記上下の枠体、前記ボトムトレイ及び前記カバートレイを貫通して固定するための支柱部とからなり、前記上下枠体が重ね合わされて当接する該各枠体の外周縁部には、下部枠体に第１接合ロック部が、上部枠体に前記第１接合ロック部に対向して第２接合ロック部がそれぞれ設けられてなり、前記第１接合ロック部及び前記第２接合ロック部は、前記製品の搬送後において、前記上下枠体内に前記ボトムトレイとカバートレイを複数個収納した状態で、前記支柱部により連結固定可能に形成されてなることを特徴とするものである。
【０００８】
また、複数の製品を搬送するための梱包装置において、前記製品を収納保持する複数のボトムトレイと、該ボトムトレイを覆う複数のカバートレイと、前記一組のボトムトレイとカバートレイとで挟み込まれて収納保持された前記製品を複数個積み重ねて梱包する上下の枠体と、前記上下の枠体、前記ボトムトレイ及び前記カバートレイを貫通して固定するための支柱部とからなり、前記上下枠体が重ね合わされて当接する該各枠体の外周縁部において、下部枠体には前記支柱部を取付固定する貫通孔を有する第１突出部と前記支柱部を取付固定するネジ孔を有する第２突出部が離間して設けられ、上部枠体には前記支柱部により前記下部枠体に押圧保持される下部面に円形状の溝を有する凸状のリブが設けられてなり、
前記製品の搬送後において、前記上下枠体内に前記ボトムトレイとカバートレイを複数個収納し、前記上部枠体のホルダを前記下部枠体の第１突出部と第２突出部の間に嵌めこんだ状態で、前記下部枠体の第１突出部と前記上部枠体のホルダと前記下部枠体の第２突出部が、前記支柱部により、貫通ネジ込みされて、連結固定可能に形成されてなることを特徴とするものである。
【０００９】
また、複数の製品を搬送するための梱包装置において、前記製品を収納保持する複数のボトムトレイと、該ボトムトレイを覆う複数のカバートレイと、前記一組のボトムトレイとカバートレイとで挟み込まれて収納保持された前記製品を複数個積み重ねて梱包する上下の枠体と、前記上下の枠体、前記ボトムトレイ及び前記カバートレイを貫通して固定するための支柱部とからなり、前記上下枠体が重ね合わされて当接する該各枠体の外周縁部において、下部枠体には前記支柱部を取付固定する貫通孔を有する第１突出部と前記支柱部を取付固定するネジ孔を有する第２突出部が離間して設けられ、該離間した部分には切り欠き部が形成され、上部枠体には前記支柱部により前記下部枠体に押圧保持される下部面に円形状の溝を有する凸状の第１リブと第２リブが離間して設けられてなり、前記製品の搬送後において、前記上下枠体内に前記ボトムトレイとカバートレイを複数個収納し、前記上部枠体の第１リブと第２リブを前記下部枠体の第１突出部と第２突出部の間に嵌めこんだ状態で、前記下部枠体の第１突出部と前記上部枠体の第１リブと第２リブ及び前記下部枠体の第２突出部が、前記支柱部により、貫通ネジ込みされて、連結固定された状態で、前記切り欠き部が、該切り欠き部に対応した位置の前記支柱部を外部に露出可能な形状に形成されてなることを特徴とするものである。
【００１０】
また、複数の製品を搬送するための梱包装置において、前記製品を収納保持する複数のボトムトレイと、該ボトムトレイを覆う複数のカバートレイと、前記一組のボトムトレイとカバートレイとで挟み込まれて収納保持された前記製品を複数個積み重ねて梱包する上下の枠体と、前記上下の枠体、前記ボトムトレイ及び前記カバートレイを貫通して固定するための支柱部とからなり、前記下部枠体の前記上部枠体に当接する外周縁部は、片端部には離間した位置に少なくとも２カ所に切り欠き溝を有するリブが設けられ、他端部には前記支柱部を取付固定する貫通孔を有する第１突出部と前記支柱部を取付固定するネジ孔を有する第２突出部が離間して設けられてなり、前記上部枠体の前記下部枠体に対向する外周縁部の片端部には、前記切り欠き溝に嵌め込まれるフック形状の突出部が離間して設けられ、他端部には前記支柱部により前記下部枠体に押圧保持される下部面に円形状の溝を有する凸状のホルダが設けられてなり、前記製品の搬送後において、前記上下枠体内に前記ボトムトレイとカバートレイを複数個収納し、前記下部枠体の片端部の切り欠き溝に前記上部枠体の片端部のフック形状の突出部を嵌め込みスライドロックし、他端部は前記上部枠体のホルダを前記下部枠体の第１突出部と第２突出部の間に嵌めこんだ状態で、前記下部枠体の第１突出部と前記上部枠体のホルダと前記下部枠体の第２突出部が、前記支柱部により、貫通ネジ込みされて、連結固定可能に形成されてなることを特徴とするものである。
【００１１】
【発明の実施の形態】
本発明の実施の形態に係る梱包装置について、図面を参照して説明する。
【００１２】
図１は本発明の実施の形態に係る梱包装置を示す分解透視全体構成図で、図２は本発明の第１の実施の形態に係る梱包装置の製品搬送時の組立状態断面図で、図３は第１の実施の形態に係る梱包装置の梱包材返送時の組立状態断面である。
【００１３】
本発明の第１の実施の形態に係る梱包装置１０は、電気部品や前面パネルのサブアッシー品等の電気回路ユニット製品を複数個工場間（特に海外工場間）に搬送するものである。
【００１４】
この梱包装置１０は、例えば、前面パネルに電気部品８が実装された電気回路ユニット品等の製品７を収納保持するボトムトレイ３と、ボトムトレイ３にスペーサ１５を介して被せられるカバートレイ４と、ボトムトレイ３とカバートレイ４とで挟み込まれて収納保持された電気回路ユニット品７を複数個積み重ねた状態で梱包する下部枠体１１及び上部枠体１２と、電気回路ユニット品７を挟み込んで取付け固定する支柱１３と蝶ナット１４等で構成されたものである。
【００１５】
ボトムトレイ３は、電気回路ユニット品７を収納するもので、電気回路ユニット品７を収納する凹み部３ａを有し、外周部に補強リブ３ｂが設けられた鍋型薄肉形状に、樹脂材等で成形されている。又、このボトムトレイ３には、ボトムトレイ３の外周部近傍に支柱１３を挿入取付けする孔３ｃが形成されている。
【００１６】
ボトムトレイ３は、搬送時には、電気回路ユニット品７をスペーサ１５を介してカバートレイ４とで挟み込み、この挟み込んだ状態のものを、複数個（本実施例では２個にしている）積み重ねて、下部枠体１１に載置し、上部枠体１２を被せて支柱１３を介して梱包している。又、ボトムトレイ３は、搬送後のリターン時には梱包容積を減らすために、下部枠体１１内に複数個（本実施例では４個にしている）積み重ねて所定高さ内に載置できる形状（積み重ねた時の高さが小さくなるように、補強リブ３ｂの折り曲げ角度等を調整した形状）に設定されている。そして、複数個のボトムトレイ３は複数個のカバートレイ４と一緒に、下部枠体１１と上部枠体１２に挟み込まれて載置され、支柱１３を介して梱包される。
【００１７】
尚、ボトムトレイ３の形状は、１例を示したものなので、これにこだわることなく、強度を強化するために設けられた外周部の補強リブ３ｂ等は、使用条件により、特に設けなくても良い。
【００１８】
尚、ボトムトレイ３、カバートレイ４、上下枠体１１、１２をそれぞれ透明な合成樹脂材等で成形することにより、搬送された梱包装置１０の状態で、電気回路ユニット品７の外観等を直接目視検査することが可能となる。
【００１９】
カバートレイ４は、電気回路ユニット品７が収納されたボトムトレイ３を覆うもので、電気回路ユニット品７を押圧保持する凹み部４ａを有し、外周部に補強リブ４ｂが形成された突出部が設けられ、蓋型薄肉形状に、樹脂材等で成形されている。
【００２０】
このカバートレイ４は、カバートレイ４の突出部に支柱１３を挿入取付けする孔４ｃが形成されている。
【００２１】
カバートレイ４は、搬送時には、ボトムトレイ３に載置された電気回路ユニット品７を覆うように挟み込み、この挟み込んだ状態のものを、複数個（本実施例では２個にしている）積み重ねて、下部枠体１１に載置し、上部枠体１２を被せて支柱１３を介して梱包している。又、カバートレイ４は、搬送後のリターン時には梱包容積を減らすために、下部枠体１１内に複数個（本実施例では４個にしている）積み重ねて所定高さ内に載置できる形状（積み重ねた時の高さが小さくなるように、補強リブ４ｂの折り曲げ角度等を調整した形状）に設定されている。そして、複数個のカバートレイ４は複数個のボトムトレイ３と一緒に、下部枠体１１と上部枠体１２に挟み込まれて載置され、支柱１３を介して梱包される。
【００２２】
尚、カバートレイ４の形状は、１例を示したものなので、これにこだわることなく、強度を強化するために設けられた外周部の補強リブ４ｂ等は、使用条件により、特に設けなくても良い。
【００２３】
スペーサ１５は、ボトムトレイ３とカバートレイ４との間の接合する全周面に介在され、ボトムトレイ３に収納された電気回路ユニット品７へのゴミ、ホコリ等の混入を防ぐために設けられたもので、取付孔１５ａが形成された帯状形状にゴム系の合成樹脂材等で成形されている。
【００２４】
尚、スペーサ１５の介在は、１例を示したものなので、これにこだわることなく、特に設けなくても良い。
【００２５】
下部枠体１１は、電気回路ユニット品７を収納しているボトムトレイ３とカバートレイ４を載置し、上部枠体１２とで挟み込んで梱包するもので、箱型薄肉形状に、樹脂材等で成形されている。この下部枠体１１には、底面枠部に支柱１３を固定するネジ孔１１ａが形成され、上部枠体１２との接合面外周にはリブ１１ｂが形成され、底部裏面の各コーナには、突出部１６（搬送時における滑り止め等を行うもの）が設けられている。
【００２６】
尚、底部裏面への突出部１６の設置は、１例を示したものなので、これにこだわることなく、特に設けなくても良い。
【００２７】
尚、下部枠体１１を透明な合成樹脂材等で成形し，ボトムトレイ３も透明な合成樹脂材等で成形することにより、搬送された梱包装置１０の上下を引っくり返した状態で、電気回路ユニット品７の外観等を直接目視検査することが可能となる。
【００２８】
上部枠体１２は、下部枠体１１に複数個載置された電気回路ユニット品７を収納しているボトムトレイ３とカバートレイ４を挟み込むように梱包するもので、箱型薄肉形状に、樹脂材等で成形されている。この上部枠体１２には、上面枠部に支柱１３を固定する取付孔１２ａが形成され、下部枠体１１との接合面外周にはリブ１２ｂが形成されている。
【００２９】
支柱１３は、上下端部にネジが形成された、円柱状の樹脂材、又は金属材等で成形されている。この支柱１３は、スペーサ１５を介してボトムトレイ３とカバートレイ４に収納された電気回路ユニット品７を複数個載置した下部枠体１１に上部枠体１２を被せて梱包するために用いられる。この梱包は、支柱１３をボトムトレイ３とカバートレイ４及びスペーサ１５の各取付孔３ｃ、４ｃ、１５ａに挿入し、下部枠体１１のネジ孔１１ａに取付け固定した後、蝶ナット１４を支柱１３のネジ部に締め付けて行っている。
【００３０】
尚、本実施の形態では、支柱１３と蝶ナット１４を用いて、ボトムトレイ３とカバートレイ４に収納された電気回路ユニット品７を複数個下部枠体１１と上部枠体１２に載置梱包するようにしているが、これにこだわることなく、下部枠体１１と上部枠体１２にヒンジ機能を有するロック機構（図示せず）等を設けて梱包するようにしても良い。
【００３１】
尚、所定長さの支柱１３を、内部に貫通したネジ孔を有する連結ナット（図示せず）を介して繋ぎ合わせる（繋ぎ合わせる位置はボトムトレイ３の空間の所定位置とする）ことにより、ボトムトレイ３とカバートレイ４により挟みこまれた電気回路ユニット品７を数多く積み重ねて搬送することができる。
【００３２】
次に、梱包装置１０の製品搬送時の梱包組立手順について、図２を参照して、次の手順に従って説明する。
【００３３】
第１手順では、下部枠体１１の各ネジ孔１１ａに、支柱１３をネジ込んで支柱１３を下部枠体１１に取付固定する。
【００３４】
第２手順では、ボトムトレイ３の取付孔３ｃを支柱１３に挿入して、ボトムトレイ３を下部枠体１１の底面部に載置した後、電気回路ユニット品７をボトムトレイ３に配設収納する。
【００３５】
第３手順では、スペーサ１５とカバートレイ４の各取付孔４ｃ、１５ａを支柱１３に挿入して、スペーサ１５をボトムトレイ３に当接し、カバートレイ４をスペーサ１５に重ね合わせて電気回路ユニット品７を覆うように配設する。
【００３６】
第４手順では、第２手順と第３手順を繰り返し、電気回路ユニット品７を複数個（本実施例では２個にしている）積み重ねる。
【００３７】
第５手順では、上部枠体１２の取付孔１２ａを支柱１３に挿入して、上部枠体１２を被せ、蝶ナット１４を支柱１３のネジ部に締め付けて梱包を終了する。
【００３８】
尚、この梱包が終了した状態の下部枠体１１の裏面と上部枠体１２の上部表面までの高さＬ１１は、所定寸法に設定されている。従って、ボトムトレイ３とカバートレイ４に収納された電気回路ユニット品７が積み重ねられた個数（本実施例では２個にしている）により、高さＬ１１の所定寸法は、異なった寸法に設定される。
【００３９】
次に、梱包装置１０の製品搬送後の梱包材返送時の梱包組立手順について、図３を参照して、次の手順に従って説明する。
【００４０】
第１手順では、下部枠体１１に取付固定された状態の支柱１３に、複数個（本実施例では４個にしている）のボトムトレイ３の各取付孔３ｃを挿入して、複数個のボトムトレイ３を下部枠体１１の底面部に載置する。
【００４１】
第２手順では、複数個（本実施例では４個にしている）のカバートレイ４の各取付孔４ｃを支柱１３に挿入して、複数個のカバートレイ４をボトムトレイ３の上に載置する。
【００４２】
第３手順では、上部枠体１２の取付孔１２ａを支柱１３に挿入して、上部枠体１２を被せ、蝶ナット１４を支柱１３のネジ部に締め付けて梱包を終了する。
【００４３】
尚、この梱包が終了した状態の下部枠体１１の裏面と上部枠体１２の上部表面までの高さＬ１１は、製品搬送時と同一になるような所定寸法Ｌ１１に設定されている。
【００４４】
従って、ボトムトレイ３とカバートレイ４が積み重ねられた個数（本実施例ではそれぞれ４個になるようにしている）により、高さＬ１１の所定寸法は、異なった寸法に設定される。
【００４５】
以上のように、本梱包装置によれば、搬送時の梱包作業の効率が向上し、搬送後に梱包材を廃却することなく、梱包材を積み重ねて収容梱包できるため、容積を減らした状態で返送可能な構造にすることができる。
【００４６】
次に、本発明の第２の実施の形態に係る梱包装置２０について、図面を参照して説明する。
【００４７】
図４は本発明の第２の実施の形態に係る梱包装置２０の詳細分解透視図で、図５は本発明の第２の実施の形態に係る梱包装置２０の詳細断面図で、（ａ）は上下枠連結部の詳細断面図、（ｂ）はＡ−Ａ鋳ｆ面図、（ｃ）はＢ−Ｂ鋳ｆ面図である。
【００４８】
尚、梱包装置２０の製品搬送時の梱包組立状態図は、第１の実施の形態と同様、図１及び図２のようになる。
【００４９】
本発明の第２の実施の形態に係る梱包装置２０は、第１の実施の形態に係るものに対し、図４、５に示すように、下部枠体２１と上部枠体２２とが当接する外周縁部に相当する上下枠連結部３０に、それぞれ第１接合ロック部３２、３３と第２接合ロック部３６、３７が設けられ、梱包材返送時に複数個のボトムトレイ３とカバートレイ４が積み重ねられて載置された上下枠体２１、２２を支柱２３により、上下枠連結部３０を介して連結梱包するようにしたものである。従って、本梱包装置２０では、下部枠体２１と上部枠体２２との連結部３０についてのみ説明し、第１の実施の形態のものと同じ構成品、及び製品搬送時の梱包組立状態については説明を省略する。
【００５０】
第２の実施の形態に係る梱包装置２０は、例えば、前面パネルに電気部品８が実装された電気回路ユニット品等の製品７を収納保持するボトムトレイ３と、ボトムトレイ３にスペーサ１５を介して被せられるカバートレイ４と、ボトムトレイ３とカバートレイ４とで挟み込まれて収納保持された電気回路ユニット品７を積み重ねた状態で梱包する下部枠体２１及び上部枠体２２と、電気回路ユニット品７を挟み込んで取付け固定する支柱２３と蝶ナット等で構成されたものである。
【００５１】
ボトムトレイ３とカバートレイ４及びスペーサ１５は、第１の実施の形態に係るものと同一なので、説明を省略する。
【００５２】
下部枠体２１は、電気回路ユニット品７を収納しているボトムトレイ３とカバートレイ４を載置し、上部枠体２２とで挟み込んで梱包するもので、箱型薄肉形状に、樹脂材等で成形されている。この下部枠体２１の上部枠体２２と当接する外周縁部に相当する少なくとも２カ所の下部枠体２１の連結部３０（本実施の形態では４カ所に設定している）には、それぞれリブ３１が形成され、このリブ３１に切り欠き部３３と突出部３２及び曲率形状に形成された溝３１ａでなる第１接合ロック部が設けられている。そして、突出部３２には、図示されていないバネ等の弾性体が介在された取付孔３２ａが形成され、支柱２３が挿入ロックされるように設定されている。
【００５３】
従って、この下部枠体２１には、梱包材返送時に複数個のボトムトレイ３とカバートレイ４が積み重ねられて載置された後、上部枠体２２により、積み重ねられた複数個のボトムトレイ３とカバートレイ４が押さえ付けられた状態で、上部枠体２２が下部枠体２１に当接するように被せられる。そして、４カ所の上下枠連結部３０にそれぞれ支柱２３が挿入ロックされ、下部枠体２１が上部枠体２２に連結梱包されることになる。尚、下部枠体２１の上下枠連結部３０に相当する部分以外は、第１の実施の形態に係るものと同一なので、説明を省略する。
【００５４】
上部枠体２２は、下部枠体２１に複数個載置された電気回路ユニット品７を収納しているボトムトレイ３とカバートレイ４を挟み込むように被せて梱包するもので、箱型薄肉形状に、樹脂材等で成形されている。この上部枠体２２の下部枠体２１と当接する外周縁部に相当する少なくとも２カ所の上部枠体２２の連結部３０（本実施の形態では４カ所に設定している）は、下部枠体２１と対向した略同一形状に形成されたもので、それぞれリブ３５が形成され、このリブ３５に切り欠き部３７と突出部３６及び曲率形状に形成された溝３５ａでなる第２接合ロック部が設けられている。そして、突出部３６には、支柱２３が挿入される取付孔３６ａが形成され、この取付孔３６ａに挿入された支柱２３は下部枠体２１の弾性体が介在された取付孔３２ａに挿入ロックされるように設定されている。
【００５５】
従って、この上部枠体２２は、梱包材返送時に、下部枠体２１に積み重ねられて載置された複数個のボトムトレイ３とカバートレイ４を押さえ付けるようにした状態で、下部枠体２１に当接するように被せられる。そして、４カ所の上下枠連結部３０にそれぞれ支柱２３が挿入ロックされ、上部枠体２２が下部枠体２１に連結梱包されることになる。尚、上部枠体２２の上下枠連結部３０に相当する部分以外は、第１の実施の形態に係るものと同一なので、説明を省略する。
【００５６】
支柱２３は、上下端部にネジが形成された円柱状の樹脂材、又は金属材等で成形されている。この支柱２３は、ボトムトレイ３とカバートレイ４に収納された電気回路ユニット品７を複数個載置した下部枠体２１に上部枠体２２を被せて梱包するものである。そして、搬送後のリターン時には、下部枠体２１と上部枠体２２に複数個のボトムトレイ３と複数個のカバートレイ４がそれぞれ載置された後、支柱２３を下部枠体２１と上部枠体２２との上下枠連結部３０（本実施の形態では４カ所に設定している）に設けられた第１接合ロック部３２、３３と第２接合ロック部３６、３７に挿入ロックし、下部枠体２１と上部枠体２２との連結を行っている。
【００５７】
次に、梱包装置２０の製品搬送時の梱包組立手順については、第１の実施の形態に係るものと同一なので、説明を省略し、製品搬送後の梱包材返送時の梱包組立手順について、図４及び図５を参照して、次の手順に従って説明する。
【００５８】
第１手順では、下部枠体２１内に複数個のボトムトレイ３と複数個のカバートレイ４を矢印Ｆ２１の方向に挿入し、下部枠体２１の底面部に載置する。
【００５９】
第２手順では、上部枠体２２をボトムトレイ３とカバートレイ４が載置された下部枠体２１に被せ、少なくとも２カ所の上下枠連結部３０（本実施の形態では４カ所に設定している）を接合する。即ち、下部枠体２１の突出部３２は上部枠体２２の切り欠き部３７に嵌め込み、下部枠体２１の切り欠き部３３には上部枠体２２の突出部３６を嵌め込み、下部枠体２１の溝３１ａ部と上部枠体２２の溝３５ａ部は当接させる。
【００６０】
第３手順では、支柱２３により、少なくとも２カ所の上下枠連結部３０（本実施の形態では４カ所に設定している）をそれぞれ連結する。即ち、支柱２３を上部枠体２２の突出部３６の取付孔３６ａに挿入し、下部枠体２１の溝３１ａ部と上部枠体２２の溝３５ａ部を挿通した後、下部枠体２１の突出部３２の弾性体が介在された取付孔３２ａに挿入ロックすることにより、下部枠体２１に上部枠体２２を連結している。
【００６１】
以上のように、本梱包装置によれば、搬送時の梱包作業の効率が向上し、搬送後に梱包材を廃却することなく、リターン時に梱包材を積み重ねて収容梱包できるため、容積を減らした状態で返送可能な構造にすることができ、しかもリターン時に支柱を用いて上下枠連結部の位置で下部枠体と上部枠体を連結梱包できるため、上部に突出するものもなくなり、構造をシンプルにすることができる。
【００６２】
次に、本発明の第３の実施の形態に係る梱包装置４０（請求項４の一実施例に相当）について、図面を参照して説明する。
【００６３】
図６は本発明の第３の実施の形態に係る梱包装置４０の上下枠連結部の詳細分解透視図で、図７は本発明の第３の実施の形態に係る梱包装置４０の上下枠連結部の詳細断面図である。尚、梱包装置４０の製品搬送時の梱包組立状態図は、第１の実施の形態と同様、図１及び図２のようになる。
【００６４】
本発明の第３の実施の形態に係る梱包装置４０は、第１の実施の形態に係るものに対し、図６に示すように、下部枠体４１と上部枠体４２とが当接する外周縁部に相当する上下枠連結部５０に、それぞれ第１接合ロック部５２、５３と第２接合ロック部５６が設けられ、梱包材返送時に複数個のボトムトレイ３とカバートレイ４が積み重ねられて載置された上下枠体４１、４２を支柱４３により、上下枠連結部５０を介して連結梱包するようにしたものである。従って、本梱包装置４０では、下部枠体４１と上部枠体４２との連結部５０についてのみ説明し、第１の実施の形態のものと同じ構成品、及び製品搬送時の梱包組立状態については説明を省略する。
【００６５】
第３の実施の形態に係る梱包装置４０は、第１の実施の形態に係るものの構成と同様に、電気回路ユニット品７、ボトムトレイ３、カバートレイ４、スペーサ１５、電気回路ユニット品７を積み重ねた状態で梱包する下部枠体４１と上部枠体４２、及び支柱４３と蝶ナット４４等で構成されている。
【００６６】
ボトムトレイ３とカバートレイ４及びスペーサ１５は、第１の実施の形態に係るものと同一なので、説明を省略する。
【００６７】
下部枠体４１は、電気回路ユニット品７を収納しているボトムトレイ３とカバートレイ４を載置し、上部枠体４２とで挟み込んで梱包するもので、箱型薄肉形状に、樹脂材等で成形されている。この下部枠体４１の上部枠体４２と当接する外周縁部に相当する少なくとも２カ所の下部枠体４１の連結部５０（本実施の形態では４カ所に設定している）には、それぞれリブ５１が形成され、このリブ５１の離間した位置の２ヶ所に第１突出部５２と第２突出部５３でなる第１接合ロック部が設けられている。そして、突出部５２には、支柱４３をネジ止めするネジ孔５２ａが形成され、突出部５３には、支柱４３を挿入固定するための取付孔５３ａが形成され、支柱４３により、上部枠体４２の第２接合ロック部５６（凸状のリブ５６よりなる）を押圧保持した状態で、蝶ナット４４で連結固定するようにしている。
【００６８】
従って、この下部枠体４１は、梱包材返送時に複数個のボトムトレイ３とカバートレイ４を積み重ねて載置した後、上部枠体４２を被せ、４カ所の上下枠連結部５０にそれぞれ支柱４３を挿入固定し、下部枠体４１を上部枠体４２に連結梱包することができる。尚、下部枠体４１の連結部５０に相当する部分以外は、第１の実施の形態に係るものと同一なので、説明を省略する。
【００６９】
上部枠体４２は、下部枠体４１に複数個載置された電気回路ユニット品７を収納しているボトムトレイ３とカバートレイ４を挟み込むように被せて梱包するもので、箱型薄肉形状に、樹脂材等で成形されている。この上部枠体４２の下部枠体４１と当接する外周縁部に相当する少なくとも２カ所の上部枠体４２の連結部５０（本実施の形態では４カ所に設定している）は、下部枠体４１と対向して連結される形状に形成されたもので、それぞれ凸状のリブ５６でなる第２接合ロック部が設けられている。又、凸状のリブ５６には、支柱４３により押圧される半円状の溝５６ａが形成されている。そして、下部枠体４１の連結部５０に設けられた突出部５３の取付孔５３ａに挿通された支柱４３は、リブ５６の溝５６ａを押圧するように挿通され、下部枠体４１の突出部５２のネジ孔５２ａにネジ込まれ、蝶ネジ４４で取付固定される。
【００７０】
従って、この上部枠体４２は、梱包材返送時に複数個のボトムトレイ３とカバートレイ４が積み重ねられて載置された下部枠体４１に被せられ、４カ所の上下枠連結部５０にそれぞれ支柱４３が挿入固定されて、下部枠体４１に連結梱包されることになる。尚、上部枠体４２の連結部５０に相当する部分以外は、第１の実施の形態に係るものと同一なので、説明を省略する。
【００７１】
支柱４３は、上下端部にネジが形成された円柱状の樹脂材、又は金属材等で成形されている。この支柱４３は、ボトムトレイ３とカバートレイ４に収納された電気回路ユニット品７を複数個載置した下部枠体４１に上部枠体４２を被せて梱包するものである。そして、搬送後のリターン時には、下部枠体４１と上部枠体４２に複数個のボトムトレイ３と複数個のカバートレイ４がそれぞれ載置された後、支柱４３を下部枠体４１と上部枠体４２との上下枠連結部５０（本実施の形態では４カ所に設定している）に設けられた第１接合ロック部５２、５３と第２接合ロック部５６に挿入固定し、下部枠体４１と上部枠体４２との連結を行っている。
【００７２】
次に、梱包装置４０の製品搬送時の梱包組立手順については、第１の実施の形態に係るものと同一なので、説明を省略し、製品搬送後の梱包材返送時の梱包組立手順について、図６及び図７を参照して、次の手順に従って説明する。
【００７３】
第１手順では、下部枠体４１内に複数個のボトムトレイ３と複数個のカバートレイ４を挿入し、下部枠体４１の底面部に載置する。
【００７４】
第２手順では、上部枠体４２をボトムトレイ３とカバートレイ４が載置された下部枠体４１に被せ、少なくとも２カ所の上下枠連結部５０（本実施の形態では４カ所に設定している）を接合する。即ち、下部枠体４１の離間した位置の第１突出部５２と第２突出部５３の間に、上部枠体２２の凸状のリブ５６を嵌め込み、リブ５６の裏面を下部枠体４１のリブ５１の表面に当接させる。
【００７５】
第３手順では、支柱４３により、少なくとも２カ所の上下枠連結部５０（本実施の形態では４カ所に設定している）をそれぞれ連結する。即ち、支柱４３を下部枠体４１の連結部５０に設けられた突出部５３の取付孔５３ａに挿通すると共に、上部枠体４２の連結部５０に設けられたリブ５６の溝５６ａを押圧するように挿通し、下部枠体４１の突出部５２のネジ孔５２ａにネジ込んだ後、蝶ネジ４４で取付固定する。
【００７６】
以上のように、本梱包装置によれば、搬送時の梱包作業の効率が向上し、搬送後に梱包材を廃却することなく、リターン時に梱包材を積み重ねて収容梱包できるため、容積を減らした状態で返送可能な構造にすることができ、しかもリターン時に支柱を用いて上下枠連結部の位置で下部枠体と上部枠体を連結梱包できるため、上部に突出するものもなくなり、構造をシンプルにすることができる。
【００７７】
次に、本発明の第４の実施の形態に係る梱包装置８０（請求項５の一実施例に相当）について、図面を参照して説明する。
【００７８】
図８は本発明の第４の実施の形態に係る梱包装置８０の上下枠連結部の詳細分解透視図で、図９は本発明の第４の実施の形態に係る梱包装置８０の上下枠連結部の詳細断面図である。尚、梱包装置８０の製品搬送時の梱包組立状態図は、第１の実施の形態と同様、図１及び図２のようになる。
【００７９】
本発明の第４の実施の形態に係る梱包装置８０は、第３の実施の形態に係るものに対し、図８に示すように、下部枠体８１と上部枠体８２とが当接する外周縁部に相当する上下枠連結部９０に設けられた第１接合ロック部である第１突出部９２と第２突出部９３との間の中央部のリブ９１が切り欠き切断され、第２接合ロック部である凸状のリブ９４、９５は、中央部が切り欠き切断されて支柱８３により押圧保持される両端部の一部が残され、この切り欠き切断部に対応した位置の外部に露出された支柱が把手機能を有するようにされたものである。従って、本梱包装置８０では、下部枠体８１と上部枠体８２との連結部９０についてのみ説明し、第１及び第３の実施の形態のものと同じ構成品、及び製品搬送時の梱包組立状態については説明を省略する。
【００８０】
下部枠体８１は、電気回路ユニット品７を収納しているボトムトレイ３とカバートレイ４を載置し、上部枠体４２とで挟み込んで梱包するもので、箱型薄肉形状に、樹脂材等で成形されている。この下部枠体８１の上部枠体８２と当接する外周縁部に相当する少なくとも２カ所の下部枠体８１の連結部９０（本実施の形態では４カ所に設定している）には、それぞれリブ９１が形成され、このリブ９１の離間した位置の２ヶ所に第１突出部９２と第２突出部９３でなる第１接合ロック部が設けられている。そして、第１突出部９２と第２突出部９３との間には切り欠き部９１ａが設けられ、第１突出部９２には、支柱８３をネジ止めするネジ孔９２ａが形成され、第２突出部９３には、支柱８３を挿入固定するための取付孔９３ａが形成され、支柱８３により、上部枠体８２の第２接合ロック部９４、９５を押圧保持した状態で、蝶ナット８４で連結固定するようにしている。
【００８１】
従って、この下部枠体８１は、梱包材返送時に複数個のボトムトレイ３とカバートレイ４を積み重ねて載置した後、上部枠体６２を被せ、４カ所の上下枠連結部９０にそれぞれ支柱８３を挿入固定し、下部枠体８１を上部枠体８２に連結梱包することができる。尚、下部枠体８１の上下枠連結部９０に相当する部分以外は、第１の実施の形態に係るものと同一なので、説明を省略する。
【００８２】
上部枠体８２は、下部枠体８１に複数個載置された電気回路ユニット品７を収納しているボトムトレイ３とカバートレイ４を挟み込むように被せて梱包するもので、箱型薄肉形状に、樹脂材等で成形されている。この上部枠体８２の下部枠体８１と当接する外周縁部に相当する少なくとも２カ所の上部枠体８２の連結部９０（本実施の形態では４カ所に設定している）は、下部枠体８１と対向して連結される形状に形成されたもので、それぞれ凸状の第１リブ９４と第２リブ９５でなる第２接合ロック部が設けられている。そして、凸状のリブ９４、９５には、それぞれ支柱８３により押圧される半円状の溝９４ａ、９５ａが形成されている。そして、下部枠体８１の連結部９０に設けられた突出部９３の取付孔９３ａに挿通された支柱８３は、リブ９４、９５の溝９４ａ、９５ａを押圧するように挿通され、下部枠体８１の突出部９２のネジ孔９２ａにネジ込まれ、蝶ネジ８４で取付固定される。
【００８３】
従って、この上部枠体８２は、梱包材返送時に複数個のボトムトレイ３とカバートレイ４が積み重ねられて載置された下部枠体８１に被せられ、４カ所の上下枠連結部９０にそれぞれ支柱８３が挿入固定されて、下部枠体８１に連結梱包されることになる。尚、上部枠体８２の上下枠連結部９０に相当する部分以外は、第１の実施の形態に係るものと同一なので、説明を省略する。
【００８４】
支柱８３は、上下端部にネジが形成された円柱状の樹脂材、又は金属材等で成形されている。この支柱８３は、ボトムトレイ３とカバートレイ４に収納された電気回路ユニット品７を複数個載置した下部枠体８１に上部枠体８２を被せて梱包するものである。又、搬送後のリターン時には、下部枠体８１と上部枠体８２に複数個のボトムトレイ３と複数個のカバートレイ４がそれぞれ載置された後、支柱８３を下部枠体８１と上部枠体８２との上下枠連結部９０（本実施の形態では４カ所に設定している）に設けられた第１接合ロック部９２、９３と第２接合ロック部９４、９５に挿入固定し、下部枠体８１と上部枠体８２との連結を行っている。そして、下部枠体８１と上部枠体８２を連結固定した支柱８３は、下部枠体８１のリブ９１に設けられた切り欠き部９１ａの位置に相当する部分（寸法Ｌ９１に相当したもの）が外部に露出された状態になるため、露出した部分の支柱８３を把持し、持ち運びできる把手機能を有したものとなる。
【００８５】
次に、梱包装置８０の製品搬送時の梱包組立手順については、第１の実施の形態に係るものと同一で、製品搬送後の梱包材返送時の梱包組立手順については、第３の実施の形態に係るものと略同一なので、説明を省略する。
【００８６】
以上のように、本梱包装置によれば、搬送時の梱包作業の効率が向上し、搬送後に梱包材を廃却することなく、リターン時に梱包材を積み重ねて収容梱包できるため、容積を減らした状態で返送可能な構造にすることができ、しかもリターン時には外部に露出された部分の支柱を把持し、持ち運びできる把手機能を備えている。
【００８７】
次に、本発明の第５の実施の形態に係る梱包装置６０について、図面を参照して説明する。
【００８８】
図１０は本発明の第５の実施の形態に係る梱包装置６０の上下枠連結部の詳細分解透視図で、図１１は本発明の第５の実施の形態に係る梱包装置６０の上下枠連結部の詳細断面図で、（ａ）は引っ掛け爪による上下枠連結部の詳細断面図、（ｂ）は支柱による上下枠連結部の詳細断面図である。尚、梱包装置６０の製品搬送時の梱包組立状態図は、第１の実施の形態と同様、図１及び図２のようになる。
【００８９】
本発明の第５の実施の形態に係る梱包装置６０は、第１の実施の形態に係るものに対し、図１０、１１に示すように、下部枠体６１と上部枠体６２とが当接する外周縁部に相当するＦ方向（前部方向）の上下枠連結部７０ａには、それぞれ第１接合ロック部７２、７３と第２接合ロック部７５、７６が設けられ、Ｂ方向（後部方向）の上下枠連結部７０ｂにはそれぞれ第３接合ロック部７７、７８と第４接合ロック部７９が設けられ、梱包材返送時に複数個のボトムトレイ３と複数個のカバートレイ４が積み重ねられて載置された下部枠体６１に上部枠体６２が被せられて、第１接合ロック部７２、７３と第２接合ロック部７５、７６はスライドロックされ、第３接合ロック部７７、７８と第４接合ロック部７９は支柱６３により、連結梱包されるようにしたものである。
【００９０】
従って、本梱包装置６０では、下部枠体６１と上部枠体６２との上下枠連結部７０（前部方向の連結部７０ａと後部方向の連結部７０ｂとよりなる）についてのみ説明し、第１の実施の形態のものと同じ構成品、及び製品搬送時の梱包組立状態については説明を省略する。
【００９１】
第５の実施の形態に係る梱包装置６０は、第１の実施の形態に係るものの構成と同様に、電気回路ユニット品７、ボトムトレイ３、カバートレイ４、スペーサ１５、電気回路ユニット品７を積み重ねた状態で梱包する下部枠体６１と上部枠体６２、及び支柱６３と蝶ナット６４等で構成されている。
【００９２】
ボトムトレイ３とカバートレイ４及びスペーサ１５は、第１の実施の形態に係るものと同一なので、説明を省略する。
【００９３】
下部枠体６１は、電気回路ユニット品７を収納しているボトムトレイ３とカバートレイ４を載置し、上部枠体６２とで挟み込んで梱包するもので、箱型薄肉形状に、樹脂材等で成形されている。下部枠体６１の上部枠体６２と当接する外周縁部には、Ｆ方向（前部方向）の上下枠連結部７０ａとＢ方向（後部方向）の上下枠連結部７０ｂとよりなる上下枠連結部７０が設けられている。
【００９４】
この下部枠体６１の連結部７０ａには、それぞれリブ７１が形成され、このリブ７１の離間した位置の２ヶ所に第１切り欠き部７２と第２切り欠き部７３でなる第１接合ロック部が設けられている。この第１接合ロック部は、上部枠体６２に設けられた第２接合ロック部と接合して、スライドロックされるものである。
【００９５】
又、下部枠体６１の連結部７０ｂは、第３の実施の形態に係るものと略同一機能を有したもので、図１０、１１に示すように、離間した位置の２ヶ所に第１突出部７７と第２突出部７８でなる第３接合ロック部が設けら、上部枠体６２に設けられた凸状のリブ７９でなる第４接合ロック部と接合され、支柱６３により、上部枠体６２と連結されるものである。この第１突出部７７には支柱６３を挿入取付するための取付孔７７ａが設けられ、第２突出部７８には支柱６３をネジ込み固定するためのネジ孔７８ａが設けられている。
【００９６】
尚、下部枠体６１の上下枠連結部７０に相当する部分以外は、第１の実施の形態に係るものと同一なので、説明を省略する。
【００９７】
上部枠体６２は、下部枠体６１に複数個載置された電気回路ユニット品７を収納しているボトムトレイ３とカバートレイ４を挟み込むように被せて梱包するもので、箱型薄肉形状に、樹脂材等で成形されている。この上部枠体６２の下部枠体６１と当接する外周縁部には、Ｆ方向（前部方向）の上下枠連結部７０ａとＢ方向（後部方向）の上下枠連結部７０ｂとよりなる上下枠連結部７０が設けられている。
【００９８】
この上部枠体６２の連結部７０ａには、下部枠体６１に設けられた第１接合ロック部に対向して、離間した位置にフック形状の第１突出部７５と第２突出部７６でなる第２接合ロック部が設けられている。そして、上部枠体６２が下部枠体６１の下部方向Ｐ６１に被せられ、上部枠体６２の連結部７０ａに設けられたフック形状の第１突出部７５と第２突出部７６が、それぞれ下部枠体６１の連結部７０ａに設けられた第１切り欠き部７２と第２切り欠き部７３に嵌め込まれ、Ｐ６２方向にスライドされて、第１突出部７５の爪部７５ａと第２突出部７６の爪部７６ａがリブ７１に引っ掛け固定される。
【００９９】
又、上部枠体６２の連結部７０ｂは、第３の実施の形態に係るものと略同一機能を有したもので、図１０、１１に示すように、下部枠体６１と対向して連結される形状に形成されたもので、凸状のリブ７９でなる第４接合ロック部が設けられている。そして、凸状のリブ７９には、支柱６３により押圧される半円状の溝７９ａが形成されている。そして、下部枠体６１の連結部７０ｂに設けられた第１突出部７７の取付孔７７ａに挿通された支柱６３は、リブ７９の溝７９ａを押圧するように挿通され、下部枠体６１の連結部７０ｂに設けられた第２突出部７８のネジ孔７８ａにネジ込まれ、蝶ネジ６４で取付固定される。
【０１００】
従って、この上部枠体６２は、梱包材返送時に複数個のボトムトレイ３とカバートレイ４が積み重ねられて載置された下部枠体６１に被せられ、連結部７０ａでスライドロックされ、連結部７０ｂで支柱６３が挿入固定されて、下部枠体６１に連結梱包されることになる。尚、上部枠体６２の上下枠連結部７０に相当する部分以外は、第１の実施の形態に係るものと同一なので、説明を省略する。
【０１０１】
支柱６３は、上下端部にネジが形成された円柱状の樹脂材、又は金属材等で成形されている。この支柱６３は、ボトムトレイ３とカバートレイ４に収納された電気回路ユニット品７を複数個載置した下部枠体６１に上部枠体６２を被せて梱包するものである。そして、搬送後のリターン時には、下部枠体６１に複数個のボトムトレイ３と複数個のカバートレイ４がそれぞれ載置され、上部枠体６２が被せられた後、連結部７０ａでは上部枠体６２が下部枠体６１にスライドロックされ、連結部７０ｂで支柱６３が用いられて、上部枠体６２が下部枠体６１に連結固定される。
【０１０２】
次に、梱包装置６０の製品搬送時の梱包組立手順については、第１の実施の形態に係るものと同一なので、説明を省略し、製品搬送後の梱包材返送時の梱包組立手順について、図１０及び図１１を参照して、次の手順に従って説明する。
【０１０３】
第１手順では、下部枠体６１内に複数個のボトムトレイ３と複数個のカバートレイ４を挿入し、下部枠体６１の底面部に載置する。
【０１０４】
第２手順では、上部枠体６２をボトムトレイ３とカバートレイ４が載置された下部枠体６１に被せ、連結部７０ａでは上部枠体６２が下部枠体６１にスライドロックされ、連結部７０ｂで支柱６３が用いられて、上部枠体６２が下部枠体６１に連結固定される。即ち、下部枠体６１の連結部７０ａに設けられた第１切り欠き部７２と第２切り欠き部７３には、上部枠体６２の連結部７０ａに設けられたフック形状の第１突出部７５と第２突出部７６が嵌り込むように、又、下部枠体６１の連結部７０ｂの離間した位置に設けられた第１突出部７７と第２突出部７８の間には上部枠体６２に設けられた凸状のリブ７９を嵌め込み、リブ７９の裏面が下部枠体６１のリブ７１の表面に当接するように、上部枠体６２を下部方向Ｐ６１に下し、下部枠体６１に被せる。
【０１０５】
第３手順では、上部枠体６２をＰ６２方向にスライドし、連結部７０ａでは第１突出部７５の爪部７５ａと第２突出部７６の爪部７６ａをリブ７１の裏面部に引っ掛け固定する。そして、連結部７０ｂでは、支柱６３を下部枠体６１の連結部７０ｂに設けられた突出部７７の取付孔７７ａに挿通すると共に、上部枠体６２の連結部７０ｂに設けられたリブ７９の溝７９ａを押圧するように挿通し、下部枠体６１の突出部７８のネジ孔７８ａにネジ込んだ後、蝶ネジ６４で取付固定する。
【０１０６】
尚、本第４の実施の形態に係るものでは、上部枠体６２をＰ６２方向にスライドして、上部枠体６２の連結部７０ａに設けられた第１突出部７５の爪部７５ａと第２突出部７６の爪部７６ａを下部枠体６１の連結部７０ａに設けられた切り欠き部７２、７３を有するリブ７１の裏面部７１ａに引っ掛けて固定するようにしているが、これにこだわることなく、上部枠体６２を、図１０に示すＰ６３方向にスライドして、上部枠体６２の連結部７０ａに設けられた突出部（図示せず）を下部枠体６１の連結部７０ａに設けられた切り欠き部を有するリブ（図示せず）に引っ掛けて固定するようにしても良い。
【０１０７】
以上のように、本梱包装置によれば、搬送時の梱包作業の効率が向上し、搬送後に梱包材を廃却することなく、リターン時に梱包材を積み重ねて収容梱包できるため、容積を減らした状態で返送可能な構造にすることができ、しかも連結梱包を１個の支柱で行えるため、作業の効率化が図れる。
【０１０８】
【発明の効果】
以上説明した様に、本発明によれば、搬送時の梱包作業の効率が向上し、搬送後に梱包材を廃却することなく、分解可能で、リターン時に容積を減らした状態で返送可能な構造にすることができ、しかもリターン時に支柱を用いて上下枠連結部の位置で下部枠体と上部枠体を連結梱包できるため、梱包材の搬送が容易で、上部に突出するものもなくなり、構造をシンプルにすることができる。また、梱包材は、再度利用できるので、新たな梱包材を用意する必要もなく、コスト削減が可能となる。
【図面の簡単な説明】
【図１】
本発明の実施の形態に係る梱包装置の分解透視全体構成図である。
【図２】本発明の第１の実施の形態に係る梱包装置の製品輸送時の組立状態断面である。
【図３】本発明の第１の実施の形態に係る梱包装置の梱包材返送時の組立状態断面である。
【図４】本発明の第２の実施の形態に係る梱包装置の梱包材返送時の詳細分解透視図である。
【図５】本発明の第２の実施の形態に係る梱包装置の詳細断面図である。
【図６】本発明の第３の実施の形態に係る梱包装置の上下枠連結部の詳細分解透視図である。
【図７】本発明の第３の実施の形態に係る梱包装置の上下枠連結部の詳細断面図である。
【図８】本発明の第４の実施の形態に係る梱包装置の上下枠連結部の詳細分解透視図である。
【図９】本発明の第４の実施の形態に係る梱包装置の上下枠連結部の詳細断面図である。
【図１０】本発明の第５の実施の形態に係る梱包装置の上下枠連結部の詳細分解透視図である。
【図１１】本発明の第５の実施の形態に係る梱包装置の上下枠連結部の詳細断面図である。
【符号の説明】
３・・・ボトムトレイ
４・・・カバートレイ
７・・・電気回路ユニット品
８・・・電気部品
１０、２０、４０、６０、８０・・・梱包装置
１１、２１、４１、６１、８１・・・下部枠体
１２、２２、４２、６２、８２・・・上部枠体
１３、２３、４３、６３、８３・・・支柱
１４、４４、６４、８４・・・蝶ナット
１５・・・スペーサ
１６・・・突出部
３０、５０、７０、９０・・・上下枠連結部
３１、３５、５１、７１・・・リブ
【図１】
2004067197.tif 000003
【図２】
2004067197.tif 000004
【図３】
2004067197.tif 000005
【図４】
2004067197.tif 000006
【図５】
2004067197.tif 000007
【図６】
2004067197.tif 000008
【図７】
2004067197.tif 000009
【図８】
2004067197.tif 000010
【図９】
2004067197.tif 000011
【図１０】
2004067197.tif 000012
【図１１】
2004067197.tif 000013